(57)【要約】【課題】対面撮影時における撮影条件の設定に関する誤操作を防止する。【解決手段】各種マニュアル操作やメニュー操作をするためのキー操作部１と、撮像レンズを含むレンズ部２と、各種制御を行う制御マイコン３と、撮像対象を表示するＬＣＤ表示部５と、ＬＣＤ表示部５を制御するＬＣＤコントローラ４とを有する回転式撮像装置であり、制御マイコン３は条件判断・指示部３−４を有しており、この条件判断・指示部３−４は、キー操作入力検出部３−１において検出されたキーであって、例えば撮影者が押したキーがどのキーであるかを判断し、カメラ制御部３−２に対して、各種設定内容に基づくカメラ制御やレンズ制御の指示を行うとともに、対面状態検出部３−３からの情報に基づき通常撮影か対面撮影状態かを判断し、メモリ部３−４に各種設定内容を記憶させ、メモリ部３−４から記憶内容を取出す旨の指示を行い、ＬＣＤ表示部５に対して適切なＯＳＤ表示文字の出力制御を行うように指示し制御する。【選択図】  図１
2004207887.tif 000002
【特許請求の範囲】
【請求項１】
通常撮影機能と対面撮影機能とを有する映像装置であって、
撮影条件を設定するための操作を行う操作部と、
該操作部により指示された撮影条件に基づいて撮像処理を制御する制御部と、
前記通常撮影状態において設定された撮像条件を記憶する記憶部と、
通常撮影状態であるか対面撮影状態であるかを判断する対面撮影状態検出部と、
該対面撮影状態検出部により対面撮影状態であると判断された場合に、前記記憶部に記憶されている撮影条件の前記操作部による変更を禁止する強制オート状態に変更するように前記制御部に指示する条件判断指示部と
を有することを特徴とする撮像装置。
【請求項２】
前記条件判断指示部は、前記対面状態検出部により対面撮影状態から通常撮影状態に変更されたと判断された場合に、前記強制オート状態を解除するように前記制御部に指示することを特徴とする
請求項１に記載の撮像装置。
【請求項３】
前記撮像装置は、撮像レンズを有する撮像部と、該撮像部と隣接して配置され、前記撮像部に対して前記隣接する面内において相対回転可能な記録部兼グリップ部であって、該グリップ部近傍に前記操作部が設けられている記録部兼グリップ部とを有しており、前記撮像部を前記記録部兼グリップ部に対して略１８０度回転させることにより前記対面撮影モードへ切り替える回転機構を有している
請求項１又は２に記載の撮像装置。
【請求項４】
通常撮影機能と対面撮影機能とを有する映像装置の制御方法であって、
指示された撮影条件に基づいて撮像処理を制御するステップと、
前記通常撮影状態において設定された撮像条件を記憶するステップと、
通常撮影状態であるか対面撮影状態であるかを判断する対面撮影状態検出ステップと、
該対面撮影状態検出ステップにより対面撮影状態であると判断された場合に、前記記憶ステップにおいて記憶されている撮影条件の変更を禁止する強制オート状態に変更するように指示する条件判断指示ステップと
を有することを特徴とした撮像装置の制御方法。
【請求項５】
前記条件判断指示ステップは、
さらに、前記対面状態検出ステップにより対面撮影状態から通常撮影状態に変更されたと判断された場合に、前記強制オート状態の解除を指示するステップを有することを特徴とする請求項４に記載の撮像装置の制御方法。
【発明の詳細な説明】
【０００１】
【発明の属する技術分野】
本発明は、撮像装置に関し、より詳細には、対面撮影が可能な撮像技術に関する。
【０００２】
【従来の技術】
液晶モニタ付きビデオカメラ（カメラ一体型ＶＴＲ）などの撮像装置において、撮像部と記録部本体兼グリップ部とが、回転機構により相対回動可能に取り付けられているタイプのものがある。かかる構成を有するビデオカメラを、本明細書においては回転式撮像装置と称する。以下、図３から図５までを参照してその構成と操作について説明する。図３は、回転式撮像装置の動作の流れを示すフローチャート図であり、図４及び図５は、回転式撮像装置の概略構成を示す図である。
【０００３】
図４は、回転式撮像装置のグリップ部から見た斜視図である。図４に示すように、従来の回転式撮像装置Ａは、カメラ撮像部１０１と、記録部本体兼グリップ部１０２と、ハンドストラップ１０５と、を有している。カメラ撮像部１０１は、光学レンズ１０３と、ビューファインダー１０４と、を有している。記録部本体兼グリップ部１０２は、カメラ／ビデオ切り替えスイッチ１０７と、ズームボタン１０６とを有している。
【０００４】
図５は、回転式撮像装置のカメラ撮像部１０１からの正面図（グリップ部側の反対面から見た図）である。図５に示すように、カメラ撮像部１０１の正面側には、カメラ撮像部１０１に対して開閉可能に設けられた表示装置（液晶モニタ）１０８と、十字キーボタン１１０と、モニタ用バックライトオフボタン１１１と、表示切替ボタン１１２と、を有している。十字キーボタン１１０は、図示される４つのキー（△）のいずれかを操作することにより、マニュアルフォーカス、アイリス、ホワイトバランス、ゲイン等の調整をはじめ、表示装置１０８に表示されるメニュー項目の各種設定を行うこともできる。現在の設定状態に関しては、表示装置１０８にＯＳＤ表示させることにより、撮影者が簡単に確認することができる。
【０００５】
上記対面撮影の動作について、図３のフローチャート図を参照して説明する。適宜、図４及び図５を参照する。図３に示すように、従来の回転式撮像装置においては、撮影状態がスタートすると、ステップＳ３−１において、表示装置１０８は、正転の通常映像を表示する。ステップＳ３−２において、反転撮影であるか否かを判定する。反転撮影でないと判断された場合は、ステップＳ３−１に戻り、表示装置１０８は、正転の通常撮影画像を表示し続ける。ステップＳ３−２において反転撮影であると判断されるとステップＳ３−３に進み、表示装置１０８の画像が反転し鏡画像となる。ステップＳ３−４において、通常撮影であるか否かを判断する。通常撮影でない場合には反転撮影における操作が継続する。通常撮影であると判定されると、ステップＳ３−１に戻り、表示装置１０８は、正転の通常撮影画像を表示する。
【０００６】
【発明が解決しようとする課題】
図６（Ａ）は、カメラ撮像部１０１を記録部本体兼グリップ部１０２に対して相対的に反転させ、対面撮影状態にした場合のカメラ撮像部１０１の正面図であり、図６（Ｂ）は、撮影者１１５が回転式撮像装置を用いて対面撮影を行っている状態を示す図である。図６（Ｂ）の対面撮影状態においては、カメラ部正面として見た図６（Ａ）の状態で、符号１０３が光学レンズ部、符号１０４がファインダー部側になる。従って、図６（Ａ）に示すように、対面撮影状態では、例えばバックライトボタン１１１と表示切替ボタン１１２等との位置関係について説明すると、通常撮影時は表示切替ボタン１１２等が撮影者１１５にとって操作しやすい側に存在するのに対して、対面撮影時は表示切替ボタン１１２等が撮影者１１５にとって操作しにくい側に存在することになるため、操作を誤りやすいという問題がある。さらに、十字キーボタン１１０を操作する場合においても、同様にボタンキー（△）のファンクションの左右と上下とが入れ替わる。
【０００７】
この場合、図３に示すように、ステップＳ３−３において、対面撮影時に各種設定は残ったままであるので操作自体は可能であるが、上述のように、キー操作入力部自体が通常撮影時と異なる方向及び位置になるために、撮影者がどのキーを押せばよいか混乱し、誤操作してしまうという問題があった。また、対面撮影時のＯＳＤ文字表示も鏡文字になるため、撮影者が現在どのような設定になっているかの確認が難しい。
本発明は、対面撮影時においても、キー操作入力等の操作がわかりやすいユーザインターフェイスを有する撮像装置を提供することを目的とする。
【０００８】
【課題を解決するための手段】
本発明の一観点によれば、通常撮影機能と対面撮影機能とを有する映像装置であって、指示された撮影条件に基づいて撮像処理を制御する制御部と、前記通常撮影状態において設定された撮像条件を記憶する記憶部と、通常撮影状態であるか対面撮影状態であるかを判断する対面撮影状態検出部と、該対面撮影状態検出部により対面撮影状態であると判断された場合に、前記記憶部に記憶されている撮影条件の変更を禁止する強制オート状態に変更するように前記制御部に指示する条件判断指示部とを有することを特徴とする撮像装置が提供される。
【０００９】
上記撮像装置によれば、対面撮影状態を検出すると撮影条件の変更が禁止されるため、誤操作による混乱を防止することができる。
本発明の他の観点によれば、通常撮影機能と対面撮影機能とを有する映像装置の制御方法であって、指示された撮影条件に基づいて撮像処理を制御するステップと、前記通常撮影状態において設定された撮像条件を記憶するステップと、通常撮影状態であるか対面撮影状態であるかを判断する対面撮影状態検出ステップと、該対面撮影状態検出ステップにより対面撮影状態であると判断された場合に、前記記憶ステップにおいて記憶されている撮影条件の変更を禁止する強制オート状態に変更するように指示する条件判断指示ステップとに有することを特徴とした撮像装置の制御方法が提供される。
上記制御をプログラムによりマイコンなどを動作させて処理するようにしても良い。
【００１０】
【発明の実施の形態】
以下に、本発明の一実施の形態による回転式撮像装置について図面を参照して説明する。図１は、本実施の形態による回転式撮像装置のシステム構成例を示す機能ブロック図である。図２は、本実施の形態による回転式撮像装置の動作の流れを示すフローチャート図である。
【００１１】
図１に示すように、本実施の形態による回転式撮像装置は、各種マニュアル操作やメニュー操作をするためのキー操作部（入力ボタン）１と、撮像レンズを含むレンズ部２と、各種制御を行う制御マイコン（制御部）３と、撮像対象を表示するＬＣＤ表示部（表示装置）５と、ＬＣＤ表示部５を制御するＬＣＤコントローラ４とを有している。尚、回転式撮像装置の外観構成は、図４〜図６を参照して説明した構成と同様で良い。
【００１２】
制御マイコン３は、マニュアルフォーカス制御やズームＵＰ、ＤＯＷＮ時の制御を行うとともに、キー操作部１、レンズ部２、ＬＣＤコントローラ４及びＬＣＤ表示部５などを制御する。ＬＣＤコントローラ４は、制御マイコン３からの指示に基づいてＬＣＤ表示部５を制御して駆動する。
【００１３】
制御マイコン３は、例えば、キー操作入力情報検出部３−１と、カメラ制御部３−２と、対面状態検出部３−３と、条件判断・指示部３−４と、メモリ部３−５と、表示キャラクタ制御部３−６と、ＲＯＭ（不揮発性メモリ）３−７とを含んで構成される。キー操作入力情報検出部３−１は、キー操作部１により操作されたキーがどのキーであるかを検出する。カメラ制御部３−２は、レンズ部２を制御するとともに、各マニュアル操作設定により撮像装置を制御する。対面状態検出部３−３は、ムービーなどの映像を撮影する回転式撮像装置が、通常撮影状態であるか対面撮影状態であるかを検出する。
【００１４】
条件判断・指示部３−４は、キー操作入力検出部３−１において検出されたキーであって、例えば撮影者が押したキーがどのキーであるかを判断し、カメラ制御部３−２に対して、各種設定内容に基づくカメラ制御やレンズ制御の指示を行うとともに、対面状態検出部３−３からの情報に基づき通常撮影か対面撮影状態かを判断し、メモリ部３−４に各種設定内容を記憶させるとともに、メモリ部３−４から記憶内容を取出す旨の指示を行い、ＬＣＤ表示部５に対して適切なＯＳＤ表示文字の出力制御を行うように指示し制御する。メモリ部３−５は、条件判断・指示部３−４からの指示に基づいて上記設定内容を記憶するとともに、この記憶内容を条件判断・指示部３−４に渡す。表示キャラクタ制御部３−６は、指示された適切なＯＳＤ表示文字出力制御を行う。ＲＯＭ３−７は、表示キャラクタ制御部３−６において使用する表示文字（ＯＳＤデータ）等を格納する。ＬＣＤコントローラ部４は、ＬＣＤ表示部５における液晶表示の制御を行い、映像やＯＳＤ文字表示をＬＣＤ表示部５に表示させる。
【００１５】
次に、図１に示す回転式撮像装置の動作について図２を参照して説明する。適宜、図１を参照する。図２に示すように、本実施の形態による回転式撮像装置においては、まず通常状態でスタートするのが一般的である。ステップＳ２−１において、キー操作入力により、各種マニュアル設定が行われた状態で通常撮影を継続する。ステップＳ２−２において、制御マイコン３内のメモリ部３−５に上記各種設定を記憶するように制御する。ステップＳ２−３において、反転撮影であるか否かを判断し、反転撮影でない（通常撮影である）場合には、ステップＳ２−１に戻り、通常撮影を継続する。
【００１６】
ステップＳ２−３において反転撮影であると判断されると、ステップＳ２−４に進み、メモリに記憶され通常撮影状態における各種背堤に基づいて得られた直近の各種設定を一時的に強制オートに変更し強制オートに変更された状態でカメラ制御部３−２により制御し、ステップＳ２−５においてＬＣＤ表示部（表示装置）５のカメラ画像を反転させて鏡映像とし、ステップＳ２−６においてステップＳ２−４で強制オートにした設定入力操作を変更できないように制限する一連の動作が行われる。
【００１７】
ステップＳ２−７において、通常撮影に戻ったか否かを判定する。通常撮影に戻っていない場合、すなわち反転撮影であると判断された場合には、ステップＳ２−５に戻り表示装置のカメラ画像を鏡映像としたまま設定操作入力もできない状態を継続する。
【００１８】
ステップＳ２−７において、通常撮影に戻ったと判断された場合には、ステップＳ２−８に戻り、強制オートにしていた設定操作入力制限を解除し、設定操作入力ができるようにする。次いで、ステップＳ２−９に進み、制御マイコン３のメモリ部３−５に記憶されていた各種設定を読み出し、一時的に強制オートに変更していたカメラ制御を元のマニュアル制御に戻し、ステップＳ２−１に戻る。
【００１９】
以上のように、本実施の形態による回転式撮像装置においては、通常撮影状態での各種設定内容をメモリに記憶しておき、対面撮影時には、各種設定に関して一時的に強制オートとすることにより、撮影者の操作性を向上させることができる。すなわち、対面撮影時には、各種マニュアル操作及びメニュー操作の受付を制限又は禁止し、不要な操作はできないようにすることにより、撮影者の誤操作を防止することができる。
【００２０】
また、従来から対面撮影時にはＯＳＤ文字表示が鏡文字になってしまうので、文字が表示できず、アイコンやマークのみになってしまう為、現在の設定状態を変えてしまった場合に、撮影者が現在どのような設定になっているかを確認することができないという問題に関しても、対面撮影モードでは強制オートにするというように規定しておくことにより、対面撮影モードに入る前の設定状態が維持される旨を撮影者が覚えておけば、撮影者は混乱なく現在の状態について把握することができる。
【００２１】
尚、上記説明においては、対面撮影と判定されると全て強制オートに変更される例を示したが、この点に関して操作者が強制オートに入るのを好まない場合には、従来通りの制御を行うように任意に選択できるように構成しても良い。
【００２２】
以上、本実施の形態に沿って説明したが、本発明はこれらの例に限定されるものではなく、種々の変形が可能であるのは言うまでもない。例えば、上記実施の形態においては、撮像装置としてデジタルビデオカメラを例にして説明したが、デジタルスチルカメラや、デジタルビデオカメラとデジタルスチルカメラの両方の機能を有する装置にも適用可能であるのは言うまでもない。
【００２３】
【発明の効果】
対面撮影機能を有する映像撮影記録装置において、通常状態での各種設定内容をメモリに記憶しておき、対面撮影時には、各種設定を一時的に強制オートとすることにより、撮影者の操作性を向上させることができる。また、対面撮影時は、各種マニュアル、メニュー操作受付を禁止し、操作できないようにすることで、撮影者の誤操作を防止することができる。また、対面撮影時のＯＳＤ文字表示が鏡文字になるによる混乱に関しても、強制オートにすることで混乱を軽減することができる。
【図面の簡単な説明】
【図１】本発明の一実施の形態による回転式撮像装置の構成例を示す機能ブロック図である。
【図２】図１に示す回転式撮像装置の動作のうち主として対面撮影について説明したフローチャート図である。
【図３】従来の回転式撮像装置の動作のうち、主として対面撮影について説明したフローチャート図である。
【図４】回転式撮像装置のグリップ部から見た斜視図である。
【図５】回転式撮像装置のカメラ撮像部からの正面図（グリップ部側の反対面から見た図）である。
【図６】図６（Ａ）は、カメラ撮像部を記録部本体兼グリップ部に対して相対的に反転させ、対面撮影状態にした場合のカメラ撮像部の正面図であり、図６（Ｂ）は、撮影者が回転式撮像装置を用いて対面撮影を行っている状態を示す図である。
【符号の説明】
Ａ…回転式撮像装置、１…キー操作部（入力ボタン）、２…レンズ部、３…制御マイコン（制御部）、４…ＬＣＤコントローラ、３−１…キー操作入力情報検出部、３−２…カメラ制御部、３−３…対面状態検出部、３−４…条件判断・指示部、３−５…メモリ部、３−６…表示キャラクタ制御部、３−７…ＲＯＭ（不揮発性メモリ）。
【図１】
2004207887.tif 000003
【図２】
2004207887.tif 000004
【図３】
2004207887.tif 000005
【図４】
2004207887.tif 000006
【図５】
2004207887.tif 000007
【図６】
2004207887.tif 000008